(57)【要約】【課題】建物の屋上に多数配列して拡大した緑化面積を得ることができると共に、軽量であり、しかも植物を植え付けた面上における歩行が可能であり、垂直方向および水平方向への撓みによる破損が容易に生じることがない植物栽培用コンテナを提供することである。【解決手段】植物栽培用コンテナ１は、上面が開放された開放凹部２を有し、この開放凹部２はその底壁３の下面に複数の脚部が設けられ、この開放凹部の上面は傾斜した底壁３の内面の中央位置に貫通穴３ａが設けられ、開放凹部２の周縁に水平に屈折して突出した棚状部４ａが形成され、棚状部４ａの飛び出し長さ（Ｔ）が、側壁の水平長さ（Ｌ）に対し、１／２５Ｌ≦Ｔ≦１／１０Ｌ、かつ、側壁の深さ（ｄ）が、３０ｍｍ≦ｄ≦４５ｍｍであることを特徴とする。【選択図】図１
2004041113.tif 000002
【特許請求の範囲】
【請求項１】
上面が開放された開放凹部を有し、この開放凹部はその底壁の下面に複数の脚部が設けられ、この開放凹部の上面は傾斜した底壁内面の中央位置に貫通穴が設けられ、開放凹部の周縁に水平に屈折して突出した棚状部が形成され、棚状部の飛び出し長さ（Ｔ）が、側壁の水平長さ（Ｌ）に対し、１／２５Ｌ≦Ｔ≦１／１０Ｌ、かつ、側壁の深さ（ｄ）が、３０ｍｍ≦ｄ≦４５ｍｍであることを特徴とする植物栽培用コンテナ。
【請求項２】
該底壁の内面には、該貫通穴を中心として放射状にリブが設けられ、該リブの少なくとも１つが該底壁内面と側壁内と一連に形成されている請求項１に記載された植物栽培用コンテナ。
【請求項３】
該脚部の少なくとも１つが、最外１００〜１５０ｍｍの平面矩形状もしくは円形状であり、該底壁内面の中央位置に設けられている請求項１又は２に記載された植物栽培用コンテナ。
【発明の詳細な説明】
【０００１】
【発明の属する技術分野】
本発明は、建物等の屋上に設ける植物栽培用コンテナの構成に関するものである。
【０００２】
【従来の技術】
従来、都市部の緑化向上のために、建物の屋上に複数のコンテナを配設して、このコンテナ内に芝生等の植物を植え付けるようにし、このように緑化されたコンテナの面上で人が歩行するようにされている。また、図６に示すように、従来の植物栽培用コンテナ２０では、その開放凹部２１の側壁２２が曲壁面で構成されている。その側壁２２の曲壁形状はその開放上部２１の面積を拡大するものである。
【０００３】
また、特開２００１−７８５８２号に開示されているような植物栽培用コンテナでは、その開放凹部の面上に垂直方向に力が作用するとき、多数の脚部を底壁の下部に設けることにより対処している。なお、底壁の貫通穴内には、接続部材が設けられる。貯留槽等からコンテナ内への給水を図るためである。
【０００４】
【発明が解決しようとする課題】
しかし、植物栽培用コンテナがその開放凹部に垂直方向や水平方向に撓みが生じると、並んで配列された複数のコンテナがズレたりする。また、複数のコンテナの間にズレが生じたり、撓んだりすると、歩行性が悪くなり、特に歩行する老人や子供等が怪我をしてしまうおそれがある。
【０００５】
従来の側壁が曲壁により形成されたコンテナでは、図７に示すように、その側壁２２が曲壁面となっているため、土壌２４を投入して植物を植え付けた場合、その曲壁での変形は避けられず、さらに、その変形によりコンテナの側壁で破損が生じ易くなるという欠点がある。このようにコンテナ２０に破損が生じると、複数のコンテナ２０が配列された構成では、そのコンテナの配列状態にズレが起こる。この場合にも、前記したような歩行性が低下することになる。
【０００６】
また、特開２００１−７８５８２号に開示されているような植物栽培用コンテナでは、垂直方向の作用力に対して、多数の脚部を底部に設けることにより対処しているため、コンテナの重量が大きくなってしまい、建物に重量制限があると、使用できないないし、また、コンテナについての作業性が悪くなるという欠点がある。さらに、植物の面上を歩行するとことによる水平方向の作用力に対しては、コンテナの側壁の排水性向上の目的のためになだらかな傾斜がある程度でも、その作用力による変形を抑えることができない、という欠点がある。
【０００７】
そこで、本発明は、建物の屋上に多数配列して拡大した緑化面積を得ることができると共に、軽量であり、しかも植物を植え付けた面上における歩行が可能であり、垂直方向および水平方向への撓みによる破損が容易に生じることがない植物栽培用コンテナを提供することを目的とした。
【０００８】
【課題を解決するための手段】
上記した目的を達成するため、本発明の植物栽培用コンテナは、上面が開放された開放凹部を有し、この開放凹部はその底壁の下面に複数の脚部が設けられ、この開放凹部の上面は傾斜した底壁内面の中央位置に貫通穴が設けられ、開放凹部の周縁に水平に屈折して突出した棚状部が形成され、棚状部の飛び出し長さ（Ｔ）が、側壁の水平長さ（Ｌ）に対し、１／２５Ｌ≦Ｔ≦１／１０Ｌ、かつ、側壁の深さ（ｄ）が、３０ｍｍ≦ｄ≦４５ｍｍであることを特徴とする。
【０００９】
本発明の植物栽培用コンテナは、建物の屋上に配置されて緑化用として使用することができる。この植物栽培用コンテナの開放凹部には、土壌が投入される。この土壌には植物が植え付けられる。この植物の種類については特に限定はないが、建物の屋上の緑化の観点から、芝生等を挙げることができる。
【００１０】
本発明の植物栽培用コンテナは、その緑化面積を大きくするために、その複数を隣接して配設することができる。芝生を植え付けた場合には、植物栽培用コンテナに植え付けた芝生の面上を人が歩行することが可能である。したがって、人の歩行により、植物栽培用コンテナ自体が撓んだり、位置ズレをきたしたりすることは好ましくない。
【００１１】
植物栽培用コンテナの底壁が撓むことにより、複数に並んで配列されたコンテナが垂直方向に変形されるのを防止するため、前記開放凹部の底壁下部には脚部が複数設けられる。これらの脚部は、平面形が矩形状であっても、円形乃至楕円形であってもよい。開放凹部の底壁は、脚部が複数設けられることにより、開放凹部の底部の広い範囲を物理的に強化できる。
【００１２】
開放凹部の底壁上面にはその周囲に、側壁が立上げ状態で設けられる。この底壁には貫通穴が中央位置に設けられており、また、その底壁の内面は、この貫通穴を中心として複数のリブが放射状に設けられていることが好ましい。各リブは開放凹部の底壁と端部が側壁とに一連に設けられることにより、強化される。すなわち、リブが放射線状に設けられることにより、垂直方向への応力集中を拡散し、底壁自体の変形が生じるのを防止できる。
【００１３】
また、人がこの植物栽培用コンテナの面上を歩行することにより応力を受け、この応力が側壁を水平に開くように作用するとき、この作用力に基づく撓みが防止される。
【００１４】
本発明の植物栽培用コンテナは、棚状部が複数設けられている構成を含む。この場合、棚使用部の飛び出し長さ（Ｔ）は、各段の棚状部の水平長さ（ｔ）について合計したものとなる。
【００１５】
前記棚状部の飛び出し長さ（Ｌ）が、側壁の飛び出し長さ（Ｔ）に対し、１／２５Ｌ≦Ｔ≦１／１０Ｌで、かつ、側壁の深さ（ｄ）が、３０ｍｍ≦ｄ≦４５ｍｍであることが要件である。また、棚状部の１段が少なくとも１／２５Ｌ以上であることが必要であり、さらに、棚状部が複数段からなるときは、合計３０〜４５ｍｍとなる。
【００１６】
開放凹部の最上面は緑化面積を大きくするために拡大されるが、開放凹部の底壁上部における平面大きさの範囲について、各段の飛び出し長さ（ｔ）の合計が上記した範囲内にあるとき、最も効果的にこのコンテナの開放凹部の構成を強化したものとして得ることができるからである。なお、本発明の植物栽培用コンテナが、棚状部が複数設けられている構成の場合、飛び出し長さ（Ｔ）は、各段の棚状部の飛び出し水平長さ（ｔ）について合計したものとなる。
【００１７】
各リブは、開放凹部の底壁が中央向きに傾斜されていることにより、排水性が高められている。リブは底壁の変形を防ぐため、貫通穴を中心に４５°の角度で放射線状に配されていることが好ましい。この場合、リブ間の間隔が開くときは、変形を防ぐために、さらにリブを増設すればよい。
【００１８】
この開放凹部における側壁の撓みの防止作用は、開放凹部の側壁周部に水平の向きに屈折して突出した一連の棚状部が形成されていることにより、さらに高められる。すなわち、その側壁の周縁部が、屈曲した棚状部で強化されるからである。
【００１９】
この植物栽培用コンテナの平面大きさには、特に限定はないが、コンテナの軽量化および緑化面積となる植物の植え付け面積等から、平面大きさの縦寸法および横寸法が略６００ｍｍ×略６００ｍｍ程であることが好ましい。これ以上の平面大きさとなると、コンテナの板厚が大きくなり重量が過大となり、また、これ以下の平面大きさであると、緑化面積が狭小となってしまうからである。
【００２０】
植物栽培用コンテナの形成材料としては、成形が容易なプラスチック材や、錆が生じ難いＳＵＳ材であることが好ましい。人の歩行時の加圧作用を分散させるために、ＳＵＳ材のエキスパンドメタル等をリブの上に敷設しておくことが好ましい。
【００２１】
開放凹部の底壁の平面寸法が、略６００ｍｍ×６００ｍｍの平面矩形状の大きさであるとき、前記最外位置の脚部が略１００ｍｍ〜１５０ｍｍの平面矩形状の大きさであることが好ましい。脚部の平面大きさが小さ過ぎては、より多くの脚部が必要となり、その分重量が過大となり、また、その平面大きさが大き過ぎると、貫通穴形成部における変形が大きくなってしまうからである。その開放凹部の底壁下部における脚部の平面大きさの範囲であれば、最も効果的に強化できるからである。
【００２２】
【発明の実施の形態】
本発明に係る植物栽培用コンテナの実施の形態を図に基づいて説明する。図１に示す植物栽培用コンテナ１は、植物を植え付けるための開放凹部２を備えている。開放凹部２には、底壁３と側壁４とを有する。開放凹部２の最上縁は、縦横の長さが６００ｍｍ×６００ｍｍの矩形状である。
【００２３】
底壁３の中央位置には貫通穴３ａが設けられている。貫通穴３ａの回りには、円形状の凹部３ｂが設けられている。この底壁３の上面上には、図３に示すように、貫通穴５を中心として放射状にリブ６が設けられている。各リブ６の一端部６ａは、凹部３ｂの周囲付近にまで及んでいる。また、各リブ６は底壁３とその他端６ｂは側壁４に一連であるので，開放凹部２における物理的強度が強化されている。
【００２４】
底壁３の下面には、最外位置の脚部７と中部位置の脚部８との複数の脚部が設けられている。これらの脚部７、８は、図４に示すように、平面形が矩形状で、それぞれ同心状であるように形成されている。脚部７、８の後方面には切欠き凹部７ａ、８ａがそれぞれ対向して設けられている。また、貫通穴３ａの付近の底壁３における垂直方向の物理的強度を高めるために、図２に示すように、補助脚部１０を別途必要に応じて適宜に設けることもできる。
【００２５】
これらの切欠き凹部７ａ、８ａには、図２に示すように、接続部材９の導管９ａに連通管１１が接続して設けられる。接続部材９は、導管９ａとフランジ９ｂとからなり、導管９ａが貫通穴３ａに挿通される。フランジ９ｂは、下面が柔軟質材料で形成され、底壁３面からネジ固定ではさみ込まれ、凹溝３ｂの凹部に液密な状態で嵌入固定されるようになっている。また、接続部材９の導管９ａはエルボ等の連通管１１と接続されている。さらに、連通管１１は、固定ネジ部材１１ａにより底壁３に対して固定される。
【００２６】
各コンテナは、それらの導管１１に３０個程度までグループとして１つのバルブでまとめられ、エルボ１５やチーズ１６により誘導管１４に連結されている。また、ポンプ１７に接続される。このポンプ１７により、各バルブ１３を順次開放状態にしてコンテナの開放凹部内に給水できると共に、開放凹部２内の給水を適宜排水することができる。これにより、各コンテナ１の開放凹部２の内部における給排水量を調整することができる。
【００２７】
コンテナ１の側壁４には、開放凹部２の最上部に屈折して外部に突出した棚状部４ａが設けられている。棚状部４ａを設けることにより、より物理的強度を高め、コンテナ１につき軽量化したものが得られると共に、コンテナ１における植物の植設が可能な上面積を広めたものを得ることができる。
【００２８】
このように構成される植物栽培用コンテナ１は、その複数が図５に示すように、その側壁４の外面部が隣接かつ並列する状態で配列することができる。この配列方法は、一例であり、任意数のコンテナ１を配列することができる。各コンテナ１の開放凹部２の内部に土壌１２およびこれに植物を植え付けることができる。
【００２９】
棚状部４ａの水平方向への飛び出し長さ（ｔ）は、側壁４の水平方向への長さ（Ｔ）に対し、１／２５Ｌ≦Ｔ≦１／１０Ｌであることが好ましい。棚状部４ａの飛び出し長さ（Ｌ）は、側壁４の深さ（ｄ）との間において制限を受ける。すなわち、棚状部４ａの長さが１／１０Ｌを超えるとき、敷設土壌厚さが異なる面積が大きくなり過ぎ、その面上での歩行が困難となるという欠点が生じる。また、Ｔが１／２５Ｌ未満であるとき、補強効果がでない。
【００３０】
また、側壁４の撓みは、棚状部４ａにおける側壁の深さ（ｄ）にも関連する。側壁４の深さ（ｄ）が、３０ｍｍ≦ｄ≦４５ｍｍの範囲内にあることが好ましい。棚状部４ａの深さ（ｄ）が上記した範囲内にない場合、開放凹部２において、側壁４について過剰の負担となるから、側壁４ａでの撓みが生じる原因となる。
【００３１】
底壁３の下面には複数の脚部が同心に設けられるから、底壁３の略下面全体はは、各脚部により平均し支持される。また、特に軟弱な貫通穴３ａの付近部分については、補助脚部１０を設けることにより強化することもできる。図示した脚部７および８は、図４に示すように、いずれも平面形が矩形状であるが、これらについては円心状に形成された円形状のものであってもよい。
【００３２】
このように、人が歩行したときに側壁４に撓みが生じない場合には、各コンテナ１の当初の配列状態のままに確保される。この結果、各コンテナ１の配列に乱れは生じないから、人の歩行等が困難となったりすることはない。
【００３３】
また、ポンプ１７により、貫通穴３ａから各コンテナ１の開放凹部２の内部における給水量を確保できる。また、過剰となった給水量を同様に貫通穴３ａから排水することもできる。このように雨水等を各コンテナ１の下部に設け、雨水等の貯留槽等に貯留する水を再利用することもできる。
【００３４】
【発明の効果】
上述したように本発明の植物栽培用コンテナは構成されるから、次のような効果が発揮される。本発明の植物栽培用コンテナは、その開放凹部の底壁の下部に設けられた複数の脚部が形成されると共に、底壁と側壁とに渡るように複数のリブが設けられることにより、その物理的強度が強化されて、コンテナに植設された植物の面上を人が歩行する場合でも良好にその側壁や底壁に撓み等の変形が防止されるから、このコンテナの複数が並列状態で配置される場合でも、それらについて配列のズレ等が生じない。
【００３５】
また、開放凹部における側壁の棚状部を外側に突出して設けることにより、側壁の水平変形を防止できる。この棚状部は複数設けられていてもよい。また、各棚状部の水平飛び出し長さ（Ｔ、棚状部が複数ある場合には、各棚状部の飛び出し長さの和）は、１／２５Ｌ≦Ｔ≦１／１０Ｌという制限がある。棚状部の飛び出し長さにより、植物等の生育に影響が生じるからである。
【００３６】
棚状部の飛び出す側壁頂部からの深さ（ｄ）は、３０ｍｍ≦ｄ≦４５ｍｍであることが好ましい。深さ（ｄ）が上記所定の範囲内であることにより、植物等の生育に影響や、開放凹部の側壁が水平方向に変形することを防止できる。
【００３７】
また、このコンテナの寸法は、開放凹部の平面寸法が、略６００ｍｍ×略６００ｍｍであるとき、最内位置の脚部が矩形状の場合、その間隔は、略１００ｍｍ〜１５０ｍｍであることが好ましい。これにより、重量増加の原因や、貫通穴における寸法の変形を防止できる。
【図面の簡単な説明】
【図１】本発明の植物栽培用コンテナの縦断面図である。
【図２】本発明の植物栽培用コンテナ部分の構成を説明する拡大縦断面図である。
【図３】本発明の植物栽培用コンテナの上面平面図である。
【図４】本発明の植物栽培用コンテナの下面平面図である。
【図５】本発明の植物栽培用コンテナの複数を並べて配列した状態を説明する斜視図である。
【図６】従来の植物栽培用コンテナの縦断面図である。
【図７】従来の植物栽培用コンテナの部分拡大縦断面図である。
【符号の説明】
１　植物栽培用コンテナ
２　開放凹部
３　底壁
３ａ　貫通穴
４　側壁
６　リブ
７、８　脚部
７ａ、８ａ　切欠き凹部
９　接続部材
９ａ　導管
１０　補助脚部
１１　連通管
１３　バルブ
１４　誘導管
１５　エルボ
１６　チーズ
Ｌ、ｌ　側壁４の水平方向長さ
Ｔ、ｔ　側壁４の飛び出し水平方向長さ
ｄ　棚状部４ａの深さ
【図１】
2004041113.tif 000003
【図２】
2004041113.tif 000004
【図３】
2004041113.tif 000005
【図４】
2004041113.tif 000006
【図５】
2004041113.tif 000007
【図６】
2004041113.tif 000008
【図７】
2004041113.tif 000009
【手続補正書】
【提出日】平成15年11月10日(2003.11.10)
【手続補正１】
【補正対象書類名】明細書
【補正対象項目名】特許請求の範囲
【補正方法】変更
【補正の内容】
【特許請求の範囲】
【請求項１】
上面が開放された、植物を植え付けるための開放凹部を有し、この開放凹部はその底壁の下面に複数の脚部が設けられ、この開放凹部の上面は傾斜した底壁内面の中央位置に貫通穴が設けられ、開放凹部の周縁に水平に屈折して外部に突出した棚状部が形成され、棚状部の飛び出し長さ（Ｔ）が、側壁の水平長さ（Ｌ）に対し、１／２５Ｌ≦Ｔ≦１／１０Ｌ、かつ、側壁の深さ（ｄ）が、３０ｍｍ≦ｄ≦４５ｍｍであることを特徴とする植物栽培用コンテナ。
【請求項２】
該底壁の内面には、該貫通穴を中心として放射状にリブが設けられ、該リブの少なくとも１つが該底壁内面と側壁内と一連に形成されている請求項１に記載された植物栽培用コンテナ。
【請求項３】
該脚部の少なくとも１つが、最外１００〜１５０ｍｍの平面矩形状もしくは円形状であり、該底壁下面の中央位置に設けられている請求項１又は２に記載された植物栽培用コンテナ。
【手続補正２】
【補正対象書類名】明細書
【補正対象項目名】０００２
【補正方法】変更
【補正の内容】
【０００２】
【従来の技術】
従来、都市部の緑化向上のために、建物の屋上に複数のコンテナを配設して、このコンテナ内に芝生等の植物を植え付けるようにし、このように緑化されたコンテナの面上で人が歩行するようにされている。また、図６に示すように、従来の植物栽培用コンテナ２０では、その開放凹部２１の側壁２２が曲壁面で構成されている。その側壁２２の曲壁形状はその開放凹部２１の面積を拡大するものである。


【手続補正３】
【補正対象書類名】明細書
【補正対象項目名】０００６
【補正方法】変更
【補正の内容】
【０００６】
また、特開２００１−７８５８２号に開示されているような植物栽培用コンテナでは、垂直方向の作用力に対して、多数の脚部を底部に設けることにより対処しているため、コンテナの重量が大きくなってしまい、建物に重量制限があると、使用できないないし、また、コンテナについての作業性が悪くなるという欠点がある。さらに、植物の面上を歩行することによる水平方向の作用力に対しては、コンテナの側壁の排水性向上の目的のためになだらかな傾斜がある程度でも、その作用力による変形を抑えることができない、という欠点がある。


【手続補正４】
【補正対象書類名】明細書
【補正対象項目名】０００８
【補正方法】変更
【補正の内容】
【０００８】
【課題を解決するための手段】
上記した目的を達成するため、本発明の植物栽培用コンテナは、上面が開放された、植物を植え付けるための開放凹部を有し、この開放凹部はその底壁の下面に複数の脚部が設けられ、この開放凹部の上面は傾斜した底壁内面の中央位置に貫通穴が設けられ、開放凹部の周縁に水平に屈折して外部に突出した棚状部が形成され、棚状部の飛び出し長さ（Ｔ）が、側壁の水平長さ（Ｌ）に対し、１／２５Ｌ≦Ｔ≦１／１０Ｌ、かつ、側壁の深さ（ｄ）が、３０ｍｍ≦ｄ≦４５ｍｍであることを特徴とする。